(57)【要約】      （修正有）【課題】簡易に正しく余裕を持って着用することができ、かつ着崩れの防止を図れる男性用長襦袢を提供する。【解決手段】両脇部分に開口された身八ツ口２３と、ベルトを通すための複数のベルト挿通孔２４ａとを有する胴部２と、首まわりから胸元に向けて交差するように延びる本衿４１と、本衿の首まわりに付けられた半衿４２を有する衿部４と、両端部及び中央部分のそれぞれに第１貼付部を有する固定ベルト５と、を備え、衿部４は、固定ベルトを固定するための第２貼付部をそれぞれの先端部に有し、複数のベルト挿通孔２４ａは胴部２の裏側に設けられ、胴部の後身頃の衿元に第３貼付部が設けられている。【選択図】図３
0003211105.tif 000002
【実用新案登録請求の範囲】
【請求項１】
両脇部分に開口された身八ツ口と、ベルトを通すための複数のベルト挿通孔とを有する胴部と、
首まわりから胸元に向けて交差するように延びる本衿と、前記本衿の首まわりに付けられた半衿を有する衿部と、
ベルトの両端部及び中央部分のそれぞれに第１貼付部を有する固定ベルトと、を備え、
前記衿部は、前記固定ベルトを固定するための第２貼付部をそれぞれの先端部に有し、
前記複数のベルト挿通孔は前記胴部の裏側に設けられ、
前記胴部の後身頃の衿元に第３貼付部が設けられている
男性用長襦袢。
【請求項２】
前記胴部は、衿から裾方向に延びるたて衿を有する
請求項１に記載の男性用長襦袢。
【請求項３】
前記第１貼付部はフック状に起毛された面ファスナーとされ、前記第２貼付部及び前記第３貼付部はそれぞれループ状に密集して起毛された面ファスナーとされる
請求項１又は請求項２に記載の男性用長襦袢。
【請求項４】
前記固定ベルトの中央部の第１貼付部は、該第１貼付部を覆うように開閉可能に形成されたカバー部を有する
請求項１乃至請求項３の何れかに記載の男性用長襦袢。
【請求項５】
前記第３貼付部は、後身頃の背中線を避けて設けられている
請求項１乃至請求項４の何れかに記載の男性用長襦袢。
【請求項６】
男性用長襦袢の後身頃の衿元に設けられた第３貼付部に貼り付けるために、身頃の内側の衿元に第４貼付部が設けられた胴部と、
首まわりから胸元に向けて交差するように延びる地衿と、前記地衿の首まわりに付けられた掛衿を有する衿部と、を備え、
前記衿部は、下前側の前記地衿の表側に設けられた第５貼付部と、上前側の前記地衿の裏側に設けられた第６貼付部とを有する
男性用着物。
【考案の詳細な説明】
【技術分野】
【０００１】
本考案は、男性用着物及びその着物の下に着用する男性用長襦袢であって、特に、簡易に正しく着用することができ、かつ着崩れを防止する構造に関するものである。
【背景技術】
【０００２】
一般的に長襦袢は、その着付けに関する知識と手間が必要となる。また、着用した長襦袢の上から和服を着用した後に着崩れを直すことは、和服初心者にとって難しいことが多い。このような着付けの手間や着付け後の着崩れが、和服離れを招く一因となっている。
【０００３】
特許文献１には、後身頃に紐材を通すための紐通しが設けられた長襦袢が記載されている。当該長襦袢は、紐材により紐通しを引っ張ることで衿抜きの量を調節し、紐材を結ぶことで着崩れを防止するものである。
【先行技術文献】
【特許文献】
【０００４】
【特許文献１】特開２０１１−８４８２６号公報
【考案の概要】
【考案が解決しようとする課題】
【０００５】
ところで、長襦袢の上から和服を綺麗に着こなすためには、長襦袢の背中線が和服の背中線と重なるように着こなすことが肝要である。しかしながら、常日頃から和服を着ていない者が、このような着こなしを一人で行うことは容易ではない。
また、そのように着こなすことができても、和服が時間の経過とともに着崩れし、その長襦袢と和服の背中線の重なりがずれてしまうことが多々見受けられる。
さらに、普段から和服を着用する習慣のない者にとっては、長襦袢の左右の前身頃のどちらを上に重ねればよいのか、紐をどのように腰に巻き付ければよいのかといった知識を着付けの度に調べることとなり、こういった手間が和服の着用を躊躇させる要因となっている。
【０００６】
そこで、本考案に係る男性用長襦袢は、上記した問題点を克服し、簡易に正しく余裕を持って着用することを可能とし、かつ着崩れの防止を図ることとした。そして、男性に着物の着やすさを提案することで日本の着物文化を広めることを目的とする
【課題を解決するための手段】
【０００７】
本考案に係る男性用長襦袢は、両脇部分に開口された身八ツ口と、ベルトを通すための複数のベルト挿通孔とを有する胴部と、首まわりから胸元に向けて交差するように延びる本衿と、前記本衿の首まわりに付けられた半衿を有する衿部と、ベルトの両端部及び中央部分のそれぞれに第１貼付部（固定ファスナー）を有する固定ベルトと、を備え、前記衿部は、前記固定ベルトを固定するための第２貼付部（衿ファスナー）をそれぞれの先端部に有し、前記複数のベルト挿通孔は前記胴部の裏側に設けられ、前記胴部の後身頃の衿元に第３貼付部（背中線ファスナー）が設けられているものである。
これにより、固定ベルトの第１貼付部（固定ファスナー）と衿の第２貼付部（衿ファスナー）を貼り付けることで、衿の位置を固定しつつ男性用長襦袢を着用することができる。また、胴部の後身頃の衿元に第３貼付部（背中線ファスナー）を着物の裏側に貼り付けることで、着物と男性用長襦袢の位置関係を固定することができる。
【０００８】
上記した本考案に係る男性用長襦袢は、前記胴部は、衿から裾方向に延びるたて衿を有することも考えられる。これにより、前身頃にさらなる衽幅が設けられる。
【０００９】
上記した本考案に係る男性用長襦袢は、前記第１貼付部（固定ファスナー）はフック状に起毛された面ファスナーとされ、前記第２貼付部（衿ファスナー）及び前記第３貼付部（背中線ファスナー）はそれぞれループ状に密集して起毛された面ファスナーとされることも考えられる。これにより、男性用長襦袢の表面に表出される第２貼付部（衿ファスナー）と第３貼付部（背中線ファスナー）の手触りをなめらかにすることができる。
【００１０】
上記した本考案に係る男性用長襦袢は、前記固定ベルトの中央部の第１貼付部（固定ファスナー）は、該第１貼付部（固定ファスナー）を覆うように開閉可能に形成されたカバー部を有することも考えられる。これにより、固定ベルトを男性用長襦袢に巻き付ける際に、第１貼付部（固定ファスナー）が当該長襦袢に引っ掛かることを防ぐことができる。
【００１１】
上記した本考案に係る男性用長襦袢は、前記第３貼付部（背中線ファスナー）が、前記後身頃の背中線を避けて設けられていることも考えられる。これにより、男性用長襦袢を背中線から折りたたむ際に、第３貼付部（背中線ファスナー）が邪魔になることがない。
【考案の効果】
【００１２】
本考案によれば、身長の差、太った人、痩せた人など様々な体型の男性が男性用長襦袢を余裕を持って着用することができ、かつ、普段長襦袢を着付けていない人でも、後ろ手を必要とせずに簡単に正しく綺麗に着付けるとことができる。
【図面の簡単な説明】
【００１３】
【図１】男性用長襦袢の正面図及び背面図である。
【図２】男性用長襦袢の裏側の説明図及び固定ベルトの説明図である。
【図３】男性用長襦袢に固定ベルトを通した状態の説明図及び男性用長襦袢を着付けした状態の説明図である。
【図４】着物を着用する際の説明図及び男性用長襦袢の背中線ファスナーの位置の説明図である。
【考案を実施するための形態】
【００１４】
以下、本考案に係る男性用長襦袢を実施するための形態について図面を参照しながら説明する。本実施の形態における前後上下左右及び表裏の方向は、この男性用長襦袢を着用する者の向きに従って規定するものとする。なお、以下に示す前後上下左右及び表裏の方向は説明の便宜上のものであり、本考案の実施に関しては、これらの方向に限定されることはない。
本考案に係る男性用長襦袢１とは、肌着である肌襦袢と着物（和服）の間に着る襦袢であって、男性用のものである。素材としては、絹、ポリエステル、ウール、麻、木綿などが用いられる。本実施の形態では、男性用長襦袢１を着用する者を着用者と表記する。
【００１５】
まず、男性用長襦袢１の概略構成について図１乃至図４を用いて説明する。
男性用長襦袢１は、図１Ａ及び図１Ｂに示すように、胴部２と胴部２の左右に縫い付けられた袖部３，３と胴部２の首まわりから胸元で交差する部分にかけて設けられた衿部４と、図２Ｂに示すような固定ベルト５を有している。
胴部２は、図１Ａ及び図１Ｂに示すように、身頃２１，２１とたて衿２２，２２と身八ツ口２３，２３と裏側に力布２４とを有している。身頃２１，２１は図１Ｂの背中線沿いに互いに縫い付けられており、前側の身頃２１，２１は前身頃２１ａ，２１ａとされ、後側の身頃２１，２１は後身頃２１ｂ，２１ｂとされている。
【００１６】
後身頃２１ｂ，２１ｂにより形成された背中線と衿部４が交わる部分には、図１Ｂに示すように、背中線ファスナー２５が設けられている。
また、図４Ａに示すように、男性用長襦袢１の上から着用する着物６の裏側においても、同様に衿と背中線の交わる部分に背中線ファスナー６１が設けられている。
背中線ファスナー２５及び背中線ファスナー６１は、フック状に起毛された側とループ状に密集して起毛された側とを押し付けるとそれだけで貼り付けられる面ファスナーであって、面ファスナーが互いに着脱自在に形成されている。
着用者は、男性用長襦袢１の上から着物６を着る際に、背中線ファスナー２５と背中線ファスナー６１が貼り付けられた状態となるように着用する。これにより、男性用長襦袢１と着物６の背中線を容易に揃えることが可能となる。また、長時間着用していても互いの背中線がずれることがないため、着崩れを防止することもできる。また、男性用長襦袢１と着物６の背中線がそろうことで着物６の袖口から必要以上に男性用長襦袢１の袖がはみ出ることを防ぐことができる。
【００１７】
ここで、本実施の形態においては、背中線と衿部４が交わる部分に背中線ファスナー２５を設けることとしたが、背中線ファスナー２５の位置は、男性用長襦袢１と着物６の背中線が合わさるように位置決めできる位置であれば、どのような位置に設けてもよい。特に図４Ｂに示すように、背中線ファスナー２５ａを背中線と重ならない位置、例えば背中線から左に少しずらした位置に設けることが好適である。これにより、背中線が折り曲げやすくなるため、男性用長襦袢１を容易に折りたたんで収納することができる。この場合において、着物６についても、背中線が合うように背中線ファスナー２５ａと対応する背中線ファスナーを設けることはもちろんである。
なお、背中線ファスナー２５及び背中線ファスナー６１は、背中線ファスナー２５がフック状に起毛された側で背中線ファスナー６１がループ状に密集して起毛された側であってもよいし、その逆であってもよい。ただ、背中線ファスナー２５側をループ状に密集して起毛する面ファスナーとすることで、表側に設けられているため表出することの多い背中線ファスナー２５の手触りをなめらかにすることができる。
【００１８】
たて衿２２，２２は、図１Ａに示すように、前身頃２１ａ，２１ａに縫い付けられた衿から裾まで延びる細長い布であって、前身頃２１ａから衿部４の先端までの幅に設けられている。このように、男性用長襦袢１にたて衿２２，２２を設けることで、前身頃２１ａの前幅に加えてたて衿幅（衽幅）が加わることとなり、男性用長襦袢１を余裕を持って着用することが可能となる。また、たて衿２２，２２を設けることで衿下部分に適度に重さが加わるようになり、着用者が動く際に裾捌きをなめらかに行うことができる。
【００１９】
身八ツ口２３，２３は、身頃２１，２１の両脇部分に袖つけの下端から開かれて形成されている。身八ツ口２３は、従来の男性用長襦袢には設けられていないものであるが、本実施の形態においては、後述する固定ベルト５を通すために設けられているものである。また、身八ツ口２３を設けることで男性用長襦袢１の通気性が向上し、湿度が高い環境においても着用者が快適に生活することができる。
【００２０】
力布２４は、図２Ａに示すように、男性用長襦袢１の裏側に、背中線に沿って衿部４から伸びる矩形状に形成されている。力布２４の下部には、水平方向に開口するように布で形成されたベルト挿通孔２４ａ，２４ａ，２４ａが上下方向に３段並んで設けられている。ベルト挿通孔２４ａは、図３Ａに示すように固定ベルト５を挿通することで、着用者の背中部分での位置決めをするために設けられている。着用者は、自身の身長に応じて、３段並んだベルト挿通孔２４ａ，２４ａ，２４ａのうち、自身の身長に応じたベルト挿通孔２４ａを選択して固定ベルト５を挿通する。このように、自身の身長に合った高さのベルト挿通孔２４ａを選択して固定ベルト５を通すことで、着用時の衿をより効果的に固定することができる。
なお、本実施の形態では、ベルト挿通孔２４ａを３つ設けることとしたが、設けるベルト挿通孔２４ａは２つ以下でもよいし、４つ以上であってもよい。ただ、自身の身長に合った高さのベルト挿通孔２４ａを選択できるようにするという観点からは、２つ以上設けることが好適である。
【００２１】
袖部３は、図１Ａに示すように、腕を通すために開口された袖口３１と袖部の下端部に形成された振袖部３２を有している。男性用長襦袢１では、振袖部３２の下端から袖付けの下端にかけて形成される開口が縫い合わされ、人形３２ａとして形成されている。女性用長襦袢では、当該開口は振り八ツ口として開口したままとされる部分である。
【００２２】
衿部４は、図１Ａに示すように、本衿４１と半衿４２と第１衿ファスナー４３と第２衿ファスナー４４と符号部４５ａ，４５ｂとを有する。
本衿４１は、首まわりから胸元に向けて交差するように延びる帯状に設けられており、本衿４１の首まわり付近には、本衿４１を汚れから保護するための半衿４２が縫い付けられている。
本衿４１は、図２Ａに示すように、帯状に形成された衿芯１０を挿入するための挿入口４１ａと、挿入した衿芯１０を収納する衿芯袋４１ｂとを有する。挿入口４１ａは、本衿４１の左側の前身頃２１ａ側の裏面に設けられている。衿芯１０は、挿入口４１ａを介して衿芯袋４１ｂから着脱自在とされている。
衿芯袋４１ｂは、半衿４２を縫い付けていない状態において、男性用長襦袢１の本衿４１を開いて、本衿４１に直接ステッチ縫いすることで縫製される。このため、衿芯１０を挿入口４１ａから挿入した際にあそびがなくなり衿を綺麗に仕上げることができる。またこのとき、衿の裏側に衿芯固定用の縫い目が出るだけであるため、表側に縫い目がでることがない。
なお、衿芯１０には、硬い木綿の布製のもの、薄いプラスチック製のもの、和紙や画用紙で作るもの等、好みや目的に応じて様々な素材を用いることができる。
【００２３】
本衿４１の表側の衿端部には、それぞれ略矩形の第１衿ファスナー４３と第２衿ファスナー４４が取り付けられている。第１衿ファスナー４３と第２衿ファスナー４４は、後述する固定ベルト５に取り付けられた面ファスナーと貼り付けるために用いられるものである。第１衿ファスナー４３と第２衿ファスナー４４の詳細及び固定ベルト５の着用方法の詳細については後述する。
【００２４】
第１衿ファスナー４３と第２衿ファスナー４４の下端には、それぞれ略方形状の布で形成された符号部４５ａ，４５ｂが取り付けられている。右の前身頃２１ａ側に取り付けられた符号部４５ａには「下」の文字が印字されており、左の前身頃２１ａ側に取り付けられた符号４５ｂには「上」の文字が印字されている。
これにより、男性用長襦袢１を着用する際に、着用者が右側の前身頃２１ａを先に前身に置き、その後、左側の前身頃２１ａを上に重なるように着ればよいことが視覚的に容易に把握することができる。従って、普段長襦袢を着ない者であっても、容易に男性用長襦袢１を着用することが可能となる。右側の前身頃２１ａを上にして着ることは社会通念上縁起のよくないものとされているため、右側の前身頃２１ａと左側の前身頃２１ａのどちらが上になるように重ねるかを間違えないようにすることは長襦袢の着付けにおいて重要である。
【００２５】
固定ベルト５は、男性用長襦袢１の衿を固定することにより着付けを安定させ、着崩れを防止するために、胴まわりに巻き付ける図２Ｂに示すようなベルトである。固定ベルト５を用いた男性用長襦袢１の着用方法の詳細については後述する。
【００２６】
固定ベルト５の裏側には、第１固定ファスナー５１と第２固定ファスナー５２と第３固定ファスナー５３，５４とカバー５５が設けられている。
第１固定ファスナー５１は、固定ベルト５の一端に略方形状に形成されている。第１固定ファスナー５１は、男性用長襦袢１を着用ために固定ベルト５を腰に巻く際に、第１衿ファスナー４３に貼り付けられる。
第２固定ファスナー５２は、固定ベルト５の長さ方向に延びる略矩形状に形成されている。面ファスナー５２には、カバー５５が面ファスナー５２を覆うように略矩形状に設けられている。カバー５５は、長辺の一辺が固定ベルト５の裏面に縫い付けられており、開閉可能に形成される。第２固定ファスナー５２は、男性用長襦袢１を着用ために固定ベルト５を腰に巻く際に、第２衿ファスナー４４に貼り付けられる。
第１固定ファスナー５１及び第１衿ファスナー４３、第２固定ファスナー５２及び第２衿ファスナー４４は何れも前述した背中線ファスナー２５及び背中線ファスナー６１と同様に面ファスナーにより形成される。なお、男性用長襦袢１の手触りをなめらかにするために、表面に表出する機会の多い第１衿ファスナー４３と第２衿ファスナー４４側をループ状に密集して起毛する面ファスナーとすることが望ましい。
【００２７】
第３固定ファスナー５３，５４は略矩形状に形成され、第１固定ファスナー５１が設けられていない端部に間隔を空けて設けられている。第３固定ファスナー５３，５４は、ループ状に密集して起毛された面ファスナーであって、固定ベルト５を腰に巻き終えた際に固定ベルト５の表面に貼り付けることでベルトの位置を固定する。
【００２８】
次に、男性用長襦袢１の着用方法について、図３Ａ及び図３Ｂを用いて説明する。当該着用方法で男性用長襦袢１を着付けることで、衿の状態が綺麗に保たれるとともに、長襦袢の着付けが安定して着崩れが防止される。
【００２９】
まず、図３Ｂに示すように、男性用長襦袢１の右側の第１衿ファスナー４３に固定ベルト５の第１固定ファスナー５１を貼り付ける。その後、固定ベルト５の貼り付けられていない先端が、ベルト挿通孔２４ａを挿通しながら男性用長襦袢１の裏側を胴まわりに沿って通過し、右側の身八ツ口２３から引き出される。
固定ベルト５をベルト挿通孔２４ａに通す際は、図３Ａに示すように、着用者の身長に合ったベルト挿通孔２４ａに固定ベルト５を通すようにする。これにより、身長の異なる様々な着用者がそれぞれ快適に男性用長襦袢１を着用することができる。
また、固定ベルト５を男性用長襦袢１の裏側に通す際に第２固定ファスナー５２はカバー５５により覆われた状態となっている。これにより、着用者の着用している肌襦袢や男性用長襦袢１の裏側の繊維を傷つけることなく固定ベルト５を通すことができる。
【００３０】
固定ベルト５を右側の身八ツ口２３から引き出した後、男性用長襦袢１の衿元を整えてから、左右の前身頃２１ａ，２１ａを符号部４５ａ，４５ｂに印字された「上」、「下」の順序で重ね合わせ、第２衿ファスナー４４に第２固定ファスナー５２を貼り付けることで衿の位置を固定する。そして、余った固定ベルト５を左側の身八ツ口２３に挿通させ、固定ベルト５が胴にほどよく収まった状態となったら、固定ベルト５の先端部に設けられた第３固定ファスナー５３，５４を胴に巻き付けた固定ベルト５の表面に貼り付ける。以上により、男性用長襦袢１の着付けが完了する。
このように、一本のベルトを用いるのみで着付けが行えるため、着付けが煩雑にならず容易に男性用長襦袢１を着用することができる。また、たて衿２２，２２を設けたことで着用する際に、胴回りが太い着用者であっても衽幅の分だけ余裕を持って着用することができる。なお男性用長襦袢１の着用後は、衿芯１０、固定ベルト５を引き抜き、半衿４２を取り外すことで男性用長襦袢１はそのまま丸洗いすることができる。
【００３１】
最後に、男性用長襦袢１の上から着用する着物６の概略構成について、図４を用いて説明する。
着物６は、図４Ａに示すように、着物胴部６２と着物胴部６２の左右に縫い付けられた袖部６３，６３と着物胴部６２の首まわりから胸元で交差する部分にかけて設けられた着物衿部６４を有している。着物胴部６２の内側には、上述した背中線ファスナー６１が設けられている。
【００３２】
着物衿部６４は、地衿６４ａと掛衿６４ｂと第３衿ファスナー６４ｃと第４衿ファスナー６４ｄとを有する。
地衿６４ａは、首まわりから胸元に向けて交差するように延びる帯状に設けられており、地衿６４ａの首まわり付近には、地衿６４ａを汚れから保護するための掛衿６４ｂが縫い付けられている。
【００３３】
第３衿ファスナー６４ｃは略矩形状に形成され、下前側の地衿６４ａの表側であって、掛衿６４ｂとの境目辺りに設けられている。第４衿ファスナー６４ｄは衿先方向に延びる略矩形状に形成され、上前側の地衿６４ａの裏側に設けられている。
第３衿ファスナー６４ｃ及び第４衿ファスナー６４ｄは、フック状に起毛された側とループ状に密集して起毛された側とを押し付けるとそれだけで貼り付けられる面ファスナーであって、面ファスナーが互いに着脱自在に形成されている。
【００３４】
以上の実施の形態から男性用着物６は、男性用長襦袢１の後身頃の衿元に設けられた第３貼付部（背中線ファスナー２５）に貼り付けるために、身頃の内側の衿元に第４貼付部（背中線ファスナー６１）が設けられた着物胴部６２と、首まわりから胸元に向けて交差するように延びる地衿６４ａと、地衿６４ａの首まわりに付けられた掛衿６４ｂを有する衿部と、を備え、当該衿部は、下前側の地衿６４ａの表側に設けられた第５貼付部（第３衿ファスナー６４ｃ）と、上前側の地衿６４ａの裏側に設けられた第６貼付部（第４衿ファスナー６４ｄ）とを有する。
着用者は、男性用長襦袢１の上から着物６を着る際に、第３衿ファスナー６４ｃと第４衿ファスナー６４ｄが貼り付けられた状態とすることで、衿をあらかじめ固定することができるようになる。従って、衿を崩すことなく容易に帯を巻くことができ、衿元の美しさを保ちながら着物６を着用することができる。また、着物６を長時間着用していても衿がずれることがないため、着崩れを防止することができる。
また、第４衿ファスナー６４ｄは衿先方向に延びる細長い形状に余裕を持って形成されているため、着物６の着用にあたり衿を揃える際に、着用者の身長に応じて適切な衿の高さになるように、第３衿ファスナー６４ｃを第４衿ファスナー６４ｄに貼り付けることができる。
【００３５】
さらに、第４衿ファスナー６４ｄを上前側の地衿６４ａの裏側に設けることで、第３衿ファスナー６４ｃと第４衿ファスナー６４ｄを貼り付けた際に、ファスナー面が着物の外観に表れない。これにより、着用者は、容易に衿を揃えて固定しつつ、きれいに着物６を着こなすことができる。
なお、第３衿ファスナー６４ｃと第４衿ファスナー６４ｄに用いられる面ファスナーは、白、赤、黒など様々な色にすることが考えられる。このとき、第３衿ファスナー６４ｃと第４衿ファスナー６４ｄの色は同色とすることが望ましい。
【００３６】
上述した実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることはもちろんである。
【符号の説明】
【００３７】
１…男性用長襦袢、２…胴部、４…衿部、５…固定ベルト、２２…たて衿、２３…身八ツ口、２４ａ…ベルト挿通孔、２５…背中線ファスナー、６１…背中線ファスナー
【図１】
0003211105.tif 000003
【図２】
0003211105.tif 000004
【図３】
0003211105.tif 000005
【図４】
0003211105.tif 000006